(57)【要約】【課題】  他の機器への接続間違い等の発生を防止する。【解決手段】  ステージユニット４からオーディオデータをパケット化したパケット信号が伝送される伝送路８を介して、オーディオデータ取り込み部１２が前記パケット信号を取り込み、元のオーディオデータに変換し、記憶部２０に記憶させる。オーディオデータ送出部３２が、記憶部２０に記憶されたオーディオデータを再度パケット化して伝送路８を介してミキサー６に伝送する。経路切替制御部１０が、ステージユニット４、ミキサー６と、オーディオデータ取り込み部１２とオーディオデータ送出部３２とを切替制御する。【選択図】        図１
2012205050.tif 000002
【特許請求の範囲】
【請求項１】
デジタル音声及び映像のうち一方または双方を含むマルチメディアデータをパケット化しているパケット化マルチメディアデータが伝送される伝送路に、他の送受信機能を有する装置とともに接続されるマルチメディアデータ記録再生装置であって、
前記パケット化マルチメディアデータを取り込み、前記パケット化マルチメディアデータを前記マルチメディアデータに変換し出力する取り込み手段と、
この取り込み手段が出力するマルチメディアデータを記憶し読み出して出力する記憶手段と、
前記記憶手段が出力する前記マルチメディアデータをパケット化して前記伝送路に伝送可能な送出手段と、
前記伝送路に接続される前記送受信機能を有する装置と前記取り込み手段と前記送出手段との接続状態を制御する切替制御手段と、
を具備することを特徴とするマルチメディアデータ記録再生装置。
【請求項２】
前記伝送路には、前記送受信機能を有する装置として、送受信機能を有する第１の装置と送受信機能を有する第２の装置が接続され、
第１のモードにおいて前記切替制御手段は、前記第１の装置と前記第２の装置は接続されず、かつ前記送出手段と前記第２の装置が接続されるよう制御し、
第２のモードにおいて前記切替制御手段は、前記第１の装置と前記第２の装置が接続され、かつ前記第１の装置と前記取り込み手段が接続されるよう制御することを特徴とする請求項１に記載のマルチメディアデータ記録再生装置。
【請求項３】
前記マルチメディアデータは、複数チャンネルによって構成され、
前記記憶手段は、選択されたチャンネルのマルチメディアデータを記憶する請求項１または２に記載のマルチメディアデータ記録再生装置。
【請求項４】
前記複数チャンネルの選択は、入力パッチベイによって行われる請求項３に記載のマルチメディアデータ記録再生装置。
【請求項５】
前記マルチメディアデータは、複数チャンネルによって構成され、
前記取り込み手段が出力するマルチメディアデータ及び前記記憶手段が出力するマルチメディアデータのうち選択されたチャンネルのマルチメディアデータをモニタリング用に出力するモニタリング手段を有する請求項１または２に記載のマルチメディアデータ記録再生装置。
【請求項６】
前記パケット化マルチメディアデータは前記記憶手段を制御するためのパケット化された制御データを含むものであり、
前記パケット化マルチメディアデータを取り込み、前記パケット化された制御データを前記制御データに変換して出力する制御データ取り込み手段と、
前記制御データ取り込み手段が出力する制御データに基づいて前記記憶手段を制御する記録再生制御手段と、を具備することを特徴とする請求項１または２に記載のマルチメディアデータ記録再生装置。
【請求項７】
前記マルチメディアデータは複数チャンネルによって構成され、
前記記憶手段は、前記記録再生制御手段が選択するチャンネルのマルチメディアデータを記憶することを特徴とする請求項６記載のマルチメディアデータ記録再生装置。
【請求項８】
前記マルチメディアデータは、複数チャンネルによって構成され、
前記取り込み手段が出力するマルチメディアデータ及び前記記憶手段が出力するマルチメディアデータのうち前記記録再生制御手段が選択するチャンネルのマルチメディアデータをモニタリング用に出力するモニタリング手段を有する請求項６に記載のマルチメディアデータ記録再生装置。
【発明の詳細な説明】
【技術分野】
【０００１】
本発明は、送受信機能を有する装置間において、マルチメディアデータをパケット化して伝送路を伝送されているパケット化マルチメディアデータを記録再生する装置に関する。
【背景技術】
【０００２】
送受信機能を有する装置間において、マルチメディアデータをパケット化して、伝送路を介して伝送するシステムとして、例えば非特許文献１に開示されているような技術がある。この技術では、例えばコンサートホールなどのステージに配置された多数の音声信号を、ステージから離れたコントロールブースに伝送するために使用するもので、ステージ側に送受信機能を有する装置としてステージユニットが配置され、これに接続された複数の楽器やマイクロホンからの音声信号をパケット化して、コントロールブースに送受信機能を有する機器として配置されたミキサーに伝送路を介して伝送し、ミキサーにおいて音声信号に変換して、ミキシング処理を行った後、再び、パケット化してステージ側のステージユニットに上記伝送路を介して供給して、音声信号に変換して、スピーカに供給したり、モニタ装置に供給したりすることがある。
【先行技術文献】
【非特許文献】
【０００３】
【非特許文献１】ローランド業務用音響／映像機器カタログ  Vol.２９  ２０１０年１１月作成  第５０頁乃至第７３頁
【発明の概要】
【発明が解決しようとする課題】
【０００４】
この技術において、ミキサーから出力されるマルチチャンネル信号を記録再生装置によって記録し、その後に再生しマルチチャンネル信号としてミキサーやステージユニットに伝送することがある。記録再生装置での記録は、ミキサーからのマルチチャンネル出力信号を記録再生装置に入力して行う。記録再生装置からの再生は、記録再生装置からのマルチチャンネル出力信号をミキサーの各チャンネルに入力して行う。従来技術においてこれらの入出力間のやりとりは、パケット化されたデータではなく一般的なデジタル信号によるものであった。
【０００５】
このような構成では、記録再生装置からのマルチチャンネル出力信号をミキサーやステージユニットに伝送する場合には、今までステージユニットからの信号をミキサーに取り込むように接続していたのを、記録再生装置からのマルチチャンネル出力信号をミキサーの各チャンネルに取り込むように接続を変更する必要がある。しかし、このような作業は、面倒であり、例えば接続間違い等が生じる虞があり、その結果、ミキサーからのマルチチャンネル信号を記録再生装置に記録することができなかったり、記録したマルチチャンネル信号をステージユニットに出力できなかったりする虞がある。
【０００６】
本発明は、このような接続間違い等が生じることがないマルチメディアデータ記録再生装置を提供することを目的とする。
【課題を解決するための手段】
【０００７】
本発明の一態様のマルチメディアデータ記録再生装置は、デジタル音声及び映像のうち一方または双方を含むマルチメディアデータをパケット化しているパケット化マルチメディアデータが伝送される伝送路に、他の送受信機能を有する装置とともに接続される。このマルチメディアデータ記録再生装置は、取り込み手段を有し、この取り込み手段は、前記パケット化マルチメディアデータを取り込み、前記パケット化マルチメディアデータを前記マルチメディアデータに変換し出力する。この取り込み手段が出力するマルチメディアデータを記憶手段が記憶し読み出して出力する。前記記憶手段が出力する前記マルチメディアデータを送出手段はパケット化して前記伝送路に伝送する。前記伝送路に接続される前記送受信機能を有する装置と前記取り込み手段と前記送出手段との接続状態を切替制御手段が制御する。
【０００８】
このように構成されたマルチメディアデータ記録再生装置では、パケット化マルチメディアデータを取り込む場合にも、パケット化したマルチメディアデータを送出する場合にも、マルチメディアデータ記録再生装置は、双方向に伝送可能であり、切替制御手段が、前記送受信機能を有する装置と前記取り込み手段と前記送出手段との接続状態を切替制御するので、接続を変更する必要がない。よって、接続間違い等が生じることはない。
【０００９】
前記伝送路には、送受信機能を有する装置として、送受信機能を有する第１の装置と送受信機能を有する第２の装置が接続されることがある。この場合、第１のモードにおいて前記切替制御手段は、前記第１の装置と前記第２の装置を接続ぜず、かつ前記送出手段と前記第２の装置を接続するよう制御する。第２のモードにおいて前記切替制御手段は、前記第１の装置と前記第２の装置を接続し、かつ前記第１の装置と前記取り込み手段を接続するように制御する。
【００１０】
このように構成すると、第１のモードでは、第１の装置と第２の装置とを接続せずに、送出手段からのパケット化マルチメディアデータを第２の装置に供給するので、第２の装置では、マルチメディアデータ記録再生装置の送出手段からのパケット化マルチメディアデータを、あたかも第１の装置から供給されているかのように処理することができる。第２のモードでは、第１の装置からのパケット化マルチメディアデータを第２の装置に供給するとともに、第１の装置からのパケット化マルチメディアデータがマルチメディアデータ記録再生装置の取り込み手段に供給されているので、第１の装置からのパケット化マルチメディアデータに基づくマルチメディアデータをマルチメディアデータ記録再生装置の記憶手段に記憶させることができる。
【００１１】
前記マルチメディアデータは、複数チャンネルによって構成されたものとすることができる。この場合、前記記憶手段は、選択されたチャンネルのマルチメディアデータを記憶する。前記複数チャンネルの選択は、例えば入力パッチベイによって行うことができる。このようにマルチメディアデータが複数チャンネルで構成されている場合、複数チャンネルのうち所望のチャンネルのみを選択して、記録させることができる。
【００１２】
前記マルチメディアデータは、複数チャンネルによって構成されたものとすることができる。この場合、前記取り込み手段が出力するマルチメディアデータ及び前記記憶手段が出力するマルチメディアデータのうち選択されたチャンネルのマルチメディアデータをモニタリング用に出力するモニタリング手段を有する。
【００１３】
このようにモニタリング手段を設けることによって、実際には記録されていないが、記録再生装置に入力されたマルチメディアデータをモニタリングしたり、記憶手段が出力するマルチメディアデータのうち選択されたチャンネルのマルチメディアデータをモニタリングしたりすることができる。
【００１４】
前記パケット化マルチメディアデータを前記記憶手段を制御するためのパケット化された制御データを含むものとすることができる。この場合、制御データ取り込み手段が、前記パケット化マルチメディアデータを取り込み、前記パケット化された制御データを前記制御データに変換して出力する。記録再生制御手段が、前記制御データ取り込み手段が出力する制御データに基づいて前記記憶手段を制御する。
【００１５】
このように構成すると、マルチメディアデータを記憶手段に記憶させる状態や、マルチメディアデータを記憶手段から出力させる状態を、外部から制御することができる。例えば、前記マルチメディアデータが複数チャンネルによって構成されたものである場合、前記記憶手段は、前記記録再生制御手段が選択するチャンネルのマルチメディアデータを記憶する。
【００１６】
前記マルチメディアデータが、複数チャンネルによって構成されたものの場合、モニタリング手段が、前記取り込み手段の出力するマルチメディアデータ及び前記記憶手段の出力するマルチメディアデータのうち、前記記録再生制御手段が選択するチャンネルのマルチメディアデータをモニタリング用に出力する
【発明の効果】
【００１７】
以上のように、本発明によれば、記録する場合と再生する場合とで、接続を変更する必要が無く、接続間違い等による記録不良や再生不良が生じることはない。
【図面の簡単な説明】
【００１８】
【図１】本発明の一実施形態のマルチメディアデータ記録再生装置の機能ブロック図である。
【図２】図１のマルチメディアデータ記録再生装置の経路切換制御部の動作説明図である。
【図３】図１のマルチメディアデータ記録再生装置の回路ブロック図である。
【図４】図１のマルチメディアデータ記録再生装置と共に使用されるステージユニットの回路ブロック図である。
【図５】図１のマルチメディアデータ記録再生装置と共に使用されるミキサーの回路ブロック図である。
【発明を実施するための形態】
【００１９】
本発明の一実施形態のマルチメディアデータ記録再生装置２は、図１に示すように、送受信機能を有する装置、ステージユニット４及びミキサー６と共に使用される。ステージユニット４は、例えばコンサートホールのステージに配置され、ステージ上での電子楽器での演奏音、歌唱などを異なるチャンネルでデジタル化したオーディオデータをパケット化し、そのパケット信号を伝送路８を介して伝送する。ミキサー６では、伝送路８を介して伝送された信号を元のオーディオデータに変換し、ミキシング処理をして、このミキシング処理データをパケット化したパケット信号を、伝送路８を介して伝送する。ステージユニット４は、パケット信号を元のミキシング処理データに変換し、アナログ化してステージ上のスピーカに供給したり、ステージ上のモニタ装置に供給したりする。伝送路としてはＬＡＮケーブル等を使用できる。
【００２０】
伝送路８、８間にマルチメディアデータ記録再生装置２が接続されている。マルチメディアデータ記録再生装置２は、例えば、ミキサー６の近傍に配置されており、ステージユニット４からのパケット信号またはミキサー６からのパケット信号を取り込み、マルチチャンネル出力データあるいはミキシング処理データを元のオーディオデータに変換して、記憶する。また、記憶したマルチチャンネル出力データあるいはミキシング処理データを再度パケット信号に変換して、ステージユニット４、ミキサー６のいずれか一方または双方に伝送する。この場合、マルチメディアデータ記録再生装置２、ステージユニット４及びミキサー６は、伝送路８、８を介して双方向に通信可能なものであるので、記録する場合と再生する場合とで、マルチメディアデータ記録再生装置２において配線の変更は、不要である。
【００２１】
このマルチメディアデータ記録再生装置２には、ステージユニット４からパケット信号が伝送されている。マルチメディアデータ記録再生装置２は、切替制御手段、例えば経路切換制御部１０を有している。この経路切換制御部１０を介して供給されたステージユニット４からのパケット信号は、データの種類に対応する取り込み手段、例えばオーディオデータ取り込み部１２によって元のオーディオデータに変換される。取り込み手段はデータの種類毎に用意され、それらがパケット処理部１１を構成する。この変換によって、元のオーディオデータが複数のオーディオチャンネルから成る場合、元のオーディオデータと同じ複数のオーディオチャンネルのものとされる。これらオーディオデータは録音部１４に供給される。また、パケット信号に含まれていた制御データがパケット処理部１１の制御データ取り込み手段、例えば制御データ取り込み部１６によって取り込まれる。その制御データが、対応するパケット化されたオーディオデータを記録することを指示されたものである場合、この制御データに従って記録再生制御手段の一部である制御部１８が録音部１４に対して指示を与えて、対応するパケット信号を変換したオーディオデータを、記憶手段、例えば記憶部２０に記憶させる。記憶部２０として、ハードディスク、ＵＳＢメモリ等を使用することができる。別の種類のデータ、例えば映像信号データが同時に伝送されている場合には同様に、パケット処理部１１を構成する図示していない別の取り込み手段によって処理され、記憶部２０に記憶される。
【００２２】
また、オーディオ-データ取り込み部１２から出力されるマルチチャンネル出力データあるいはミキシング処理データは、モニタリング手段、例えばモニタ部２２に供給される。従って、モニタ部２２によってモニタリングすることによって、例えばオーディオデータのいずれのオーディオチャンネルを記憶するかを決定することができる。
【００２３】
録音部１４は、従来のミキサーと同様に入力パッチベイ２４を有している。この入力パッチベイ２４によって、いずれの入力チャンネルに、パケット処理部１１によって復元されたオーディオデータのいずれのオーディオチャンネルを割り当てるかを決定する。入力パッチベイ２４での割り当ては、このマルチメディアデータ記録再生装置２の使用者が手動操作によって行ってもよいし、ミキサー６から制御データをパケットによって伝送し、制御することもできる。上記の説明は、ステージユニット４からのオーディオデータが記録される場合のものであるが、ミキサー６からのミキシング処理データも同様にして記憶部２０に記録させることができる。
【００２４】
次にマルチメディアデータ記録再生装置２の再生動作について説明する。記憶部２０に記憶された複数チャンネルのオーディオデータは、再生部２６に供給され、再生部２６が有する出力バッチベイ２８によっていずれかの出力チャンネルにそれぞれ割り当てられ、出力される。この再生部２６の出力は、モニタ部２２によってモニタリング可能である。出力バッチベイ２８での割り当ては、手動によって行うこともできるし、ミキサー６からの制御データをパケット化したものを制御データ取り込み部１６で取り込んだものに基づいて記録再生制御手段の一部をなす制御部３０が行うこともできる。また、同様にして伝送されるミキサー６からの制御データによって再生部２６で再生するオーディオチャンネルを選択することもできる。
【００２５】
再生部２６から再生されたオーディオデータは、送出手段、例えばオーディオデータ送出部３２に供給され、ここでパケット化され、経路切換制御部１０から伝送路８、８を介してステージユニット４及びミキサー６に伝送される。以上がマルチメディアデータ記録再生装置２の再生動作である。
【００２６】
経路切換制御部１０は、第２のモードにおいて、図２（ｂ）に示すように、機能的には、ステージユニット４とマルチメディアデータ記録再生装置２とを接続する伝送路８と、マルチメディアデータ記録再生装置２とミキサー６とを接続する伝送路８との間を、パケット信号を伝送させる開閉スイッチ３４によって接続する。従って、ステージユニット４からのパケット信号は、マルチメディアデータ記録再生装置２に供給されると共に、ミキサー６にも伝送され、ミキサー６からのパケット信号もマルチメディアデータ記録再生装置２に供給されると共に、ステージユニット４にも伝送される。また、ステージユニット４からのパケット信号は、経路切換制御部１０の経路切換部３６のステージユニット４側切換スイッチ３６ａを介してパケット処理部１１に供給される。パケット処理部１１に供給されたパケット信号は、データの種類に対応した取り込み手段、例えばオーディオデータ取り込み部１２によりデータに変換される。このような制御を行うことにより、例えばミキサー６はライブ演奏のミキシング処理を行い、同時にマルチメディアデータ記録再生装置２はライブ演奏をマルチチャンネルで録音することができる。同様に開閉スイッチ３４を閉じ、ミキサー６からのパケット信号を、ミキサー側切換スイッチ３６ｂを介してパケット処理部１１に供給することもできる。このような制御を行うことにより、例えばミキサー６はライブ演奏のミキシング処理を行い、同時にマルチメディアデータ記録再生装置２はライブ演奏のミキシング処理データを録音することができる。
【００２７】
また第１のモードでは、図２（ａ）に示すように、開閉スイッチ３４を開き、ミキサー側切換スイッチ３６ｂを介してパケット処理部１１からのパケット信号をミキサー６に供給する。パケット処理部１１から供給されるパケット信号は、データの種類に対応した送出手段、例えばオーディオデータ送出部３２によりパケット信号に変換されたものである。このような制御を行うことにより、マルチメディアデータ記録再生装置２から送っているにも拘わらず、ステージユニット４からミキサー６にパケット信号を伝送しているかのようにマルチメディアデータ記録再生装置２が振る舞うことができる。例えば、楽器演奏者が実際に楽器を演奏しなくても、ミキサー６においてライブ演奏でのミキシングのためのリハーサルや調整、サウンドチェックを行うことができる。同様に、開閉スイッチ３４を開き、ステージユニット４側切換スイッチ３６ａを介してパケット処理部１１からのパケット信号をステージユニット４に供給することによって、マルチメディアデータ記録再生装置２から送っているにも拘わらず、ミキサー６からステージユニット４にパケット信号を伝送しているかのようにマルチメディアデータ記録再生装置２が振る舞うことができる。
【００２８】
図３に、マルチメディアデータ記録再生装置２の回路ブロック図を示す。伝送路８、８を介してステージユニット４、ミキサー６に接続されるポート３８、４０を有している。これらポートは、物理層及びトランス回路４２、４４を介してＦＰＧＡ４６に接続されている。ＦＰＧＡ４６は、図１に示した経路回路切換部１０、パケット処理部１１として機能する。また、ＦＰＧＡ４６に接続されたＤ／Ａ変換器４８、モニターアウトポート５０が、図１のモニタ部２２として機能する。また、ＦＰＧＡ４６は、ＣＰＵ５２に接続されている。ＣＰＵ５２が、図１に示す録音部１４、再生部２６、制御部１８として機能する。ＣＰＵ５２には、Ｉ／Ｏユニット５４を介して記憶装置５８が接続され、これらが図１に示す記憶部２０として機能する。なお、ＣＰＵ５２には、ＲＯＭ６２及びＲＡＭ６４が接続されている。
【００２９】
図４に、ステージユニット４の回路ブロック図を示す。複数、例えば４つの入力ポート（図示せず）に供給されたアナログ信号を増幅器６６、６６、６６、６６を介してＡ／Ｄ変換器６８、６８、６８、６８でオーディオデータに変換し、これらをＩ／Ｏユニット７０を介してＣＰＵ７２に供給する。ＣＰＵ７２は、オーディオデータをパケット化したパケット信号を物理層及びトランス回路７４を介してポート７６に供給する。ポート７６は伝送路８に接続されているので、パケット信号はマルチメディアデータ記録再生装置２やミキサー６に供給される。また、マルチメディアデータ記録再生装置２やミキサー６から伝送路８を介してポート７６に供給されたパケット信号は、物理層及びトランス回路７４を介してＣＰＵ７２に供給され、ここで元のオーディオデータまたはミキシング処理データに変換され、Ｄ／Ａ変換器７８、７８、７８、７８においてアナログ信号に変換され、増幅器８０、８０、８０、８０において増幅され、図示しない出力ポートにそれぞれ供給される。なお、ＣＰＵ７２には、ＲＯＭ８２及びＲＡＭ８４が接続されている。
【００３０】
図５は、ミキサー６の機能ブロック図で、マルチメディアデータ記録再生装置２、ステージユニット４からのパケット信号は、図示しないポートからパケット信号入力部８６に入力され、オーディオデータに変換され、入力バッチベイ８８に供給される。入力バッチベイ８８には、ミキサー６に入力されたオーディオ信号をＡ／Ｄ変換器９０でオーディオデータに変換したものも供給される。これらオーディオデータは、入力バッチベイ８８によって各入力チャンネルの音声処理部９２、９２・・・に供給され、ここでフェーダー、パン、イコライザー、リミッター、コンプレッサー等の音声処理が行われ、バス９４を介して各出力チャンネルの音声処理部９６、９６・・・に供給され、イコライザー、ディレイなどの処理が行われ、出力バッチベイ９８に供給される。出力バッチベイ９８によって選択された出力チャンネル音声処理部９６の出力信号がパケット信号出力部１００に供給されて、パケット信号に変換され、図示しないポートから伝送路８、８を介してマルチメディアデータ記録再生装置２、ステージユニット４に供給される。
【００３１】
上記の実施形態では、マルチメディアデータとしてオーディオデータのみを使用したが、これに限ったものではなく、映像データを使用することもできるし、映像データとオーディオデータとの双方を使用することもできる。映像データを送受する場合、ステージユニット４に代えて、ビデオカメラのビデオデータやオーディオデータのパケット信号を送受するＩ／Ｏユニットを使用でき、ミキサー６に代えてビデオスイッチャ、ビデオミキサやＡＶミキサー、ビジュアルシンセサイザー等を使用できる。
【００３２】
また第１のモードでは、ミキサー６においてライブ演奏でのミキシングのためのリハーサルや調整、サウンドチェックを行うことができるが、このとき開閉スイッチ３４を閉じ、ステージユニット４の任意のチャンネルの信号をミキサー６に送れば、カラオケのような使い方をすることも可能である。
【符号の説明】
【００３３】
２  マルチメディアデータ記録再生装置
４  ステージユニット（送受信機能を有する第１の装置）
６  ミキサー（送受信機能を有する第２の装置）
８  伝送路（ネットワークケーブル等）
１０  経路切替制御部（切替制御手段）
１１  パケット処理部（取り込み手段、送出手段、制御データ取り込み手段）
１２  オーディオデータ取り込み部（取り込み手段）
１４  録音部（記憶手段）
１６  制御データ取り込み部（制御データ取り込み手段）
１８  制御部（記録再生制御手段）
２０  記憶部（記憶手段）
２６  再生部（記憶手段）
３０  制御部（記録再生制御手段）
３２  オーディオデータ送出部（送出手段）
【図１】
2012205050.tif 000003
【図２】
2012205050.tif 000004
【図３】
2012205050.tif 000005
【図４】
2012205050.tif 000006
【図５】
2012205050.tif 000007